(57)【特許請求の範囲】
【請求項１】
ベースに立設した機枠の前面に被搬送物の昇降台を上下動可能に設け、機枠上に被搬送物の載置台板を設け、上記昇降台の後部にリンク杆の前端部を回動可能に取り付け、ベースに立設し、且つ上記載置台板の下方に配置した昇降台の昇降駆動部にリンク杆の中間部を回動可能に取り付け、該リンク杆の上方揺動を規制すると共に下方揺動可能にし、機枠の上部且つ後部にリンク杆の後端部の当接体を設け、上記昇降台を、上記昇降駆動部による上昇と、上記リンク杆の当接体への当接後の下方揺動による上昇により、被搬送物を載置台板上に移載可能な位置まで上昇可能にしたことを特徴とする昇降装置。
【請求項２】
昇降駆動部を、ベースに立設したシリンダーと、該シリンダーの上部に回動自在に設けた押上体と、該押上体に掛けた吊下線状体とで構成し、該吊下線状体の一端をリンク杆の中間部に回動可能に取り付けると共に、他端をベースに固設したことを特徴とする請求項１記載の昇降装置。
【発明の詳細な説明】
【技術分野】
【０００１】
本発明は、被搬送物の昇降装置に関する。
【背景技術】
【０００２】
従来、被搬送物を上下方向に移動させる昇降装置にあっては、該昇降装置内に収容された空気圧又は油圧式のシリンダーの上部に被搬送物を載置する昇降台を直接接続したり、或いはシリンダーの上部にスプロケットを回動自在に装着すると共に、該スプロケットに掛けたチェーンの一端を昇降台に、下端を昇降装置の下部に固定して、シリンダーの駆動により昇降台を昇降させる様にしているものが見受けられる。
【０００３】
研究開発段階や出願段階で先行技術調査を行っておらず、記載すべき先行技術文献を知りません。
【発明の開示】
【発明が解決しようとする課題】
【０００４】
しかし、上記昇降装置における前者のものの昇降台の昇降量はシリンダーのストローク分しかなく、後者のものの昇降台の昇降量はシリンダーのストロークの２倍分しかないため、例えばシリンダーが収容された昇降装置の上面まで被搬送物を上昇させることが困難であるなど、解決せねばならない課題があった。
【課題を解決するための手段】
【０００５】
本発明は、上記従来技術に基づく、シリンダーの機能以上に被搬送物を昇降させることが出来ない課題に鑑み、ベースに立設した機枠の前面に被搬送物の昇降台を上下動可能に設け、機枠上に被搬送物の載置台板を設け、上記昇降台の後部にリンク杆の前端部を回動可能に取り付け、ベースに立設し、且つ上記載置台板の下方に配置した昇降台の昇降駆動部にリンク杆の中間部を回動可能に取り付け、該リンク杆の上方揺動を規制すると共に下方揺動可能にし、機枠の上部且つ後部にリンク杆の後端部の当接体を設け、上記昇降台を、上記昇降駆動部による上昇と、上記リンク杆の当接体への当接後の下方揺動による上昇により、被搬送物を載置台板上に移載可能な位置まで上昇可能にすることによって、リンク杆の後端部が当接体に当接してから最上昇位置に到達するまでに、リンク杆により昇降台を、リンク杆先端の昇降台への取付部位の昇降駆動部への取付部位に対する上昇量分押し上げて、昇降駆動部による昇降量より多く昇降台を昇降可能にして、上記課題を解決する。
【発明の効果】
【０００６】
要するに本発明は、ベースに立設した機枠の前面に被搬送物の昇降台を上下動可能に設け、機枠上に被搬送物の載置台板を設け、上記昇降台の後部にリンク杆の前端部を回動可能に取り付け、ベースに立設し、且つ上記載置台板の下方に配置した昇降台の昇降駆動部にリンク杆の中間部を回動可能に取り付け、該リンク杆の上方揺動を規制すると共に下方揺動可能にし、機枠の上部且つ後部にリンク杆の後端部の当接体を設け、上記昇降台を、上記昇降駆動部による上昇と、上記リンク杆の当接体への当接後の下方揺動による上昇により、被搬送物を載置台板上に移載可能な位置まで上昇可能にしたので、昇降途中において当接体に対しリンク杆の後端部が当接状態であると、リンク杆が昇降台に対し、昇降駆動部への取付部位を略中心として、上昇の場合には下方揺動、下降の場合には上方揺動することで、余分に昇降台を昇降させることが出来、よって昇降駆動部のストロークより多く昇降台を昇降させることが出来る。
又、昇降駆動部を、ベースに立設したシリンダーと、該シリンダーの上部に回動自在に設けた押上体と、該押上体に掛けた吊下線状体とで構成し、該吊下線状体の一端をリンク杆の中間部に回動可能に取り付けると共に、他端をベースに固設したので、かかる昇降駆動部による昇降台の昇降量をシリンダーのストロークの２倍にすることが出来るため、昇降装置のコンパクト化を図ることが出来る等その実用的効果甚だ大である。
【発明を実施するための最良の形態】
【０００７】
以下本発明の一実施例を図面に基づいて説明する。
図１は、本発明に係る昇降装置の側面図であり、図２、３は、図１の平面図及び後面図であり、図４、５は、昇降台の最下降位置・最上昇位置を示す要部側面図である。
本発明に係る昇降装置にあっては、主に、ベース１に立設した機枠２の前面に、該機枠２に対し上下動可能に設けた昇降台３と、該昇降台３の両側後部に前端部を回動可能に取り付けた一対のリンク杆４、4aと、該リンク杆４、4aの中間部を回動可能に取り付けて昇降台３を昇降可能にした昇降駆動部５と、機枠２の後部に設けた、リンク杆４、4aの後端部の当接体６、6aとで構成し、上記リンク杆４、4aは、上方揺動を規制すると共に下方揺動を可能にする様に昇降台３に取り付けられている。
以降、具体的に説明する。
【０００８】
上記昇降台３にあっては、図１〜５に示す様に、機枠２に上下動可能に取り付けられた昇降板７の前部に被搬送物Ｗの載置部８を設けて側面視略Ｌ型状とし、昇降板７における載置部８との連結部の側方に下方開口状の切欠部９、9aを形成して、前端部を載置部８の両側部に取り付けたリンク杆４、4aの中間部が切欠部９、9a内を通過する様にすることで、リンク杆４、4aの中間部が切欠部９、9aの上部に当接するため、それ以上の上方揺動が規制されている。
尚、図面上、機枠２の前面にガイドレールを、昇降台３の昇降板７の後面にＬＭガイドを設けて、機枠２に対し昇降台３をスムーズに上下動可能にしている。
又、上記機枠２を門形状とし、該機枠２上に載置台板10を設け、該載置台板10の前端部を機枠２の前面より前方突出させている。
【０００９】
昇降駆動部５は、ベース１上にして機枠２の一対の縦枠2a、2b間に立設したシリンダー11と、該シリンダー11の上部両側に設けた一対の押上体12、12a と、該押上体12、12a に掛けた一対の吊下線状体13、13a とで構成し、該吊下線状体13、13a の一端をリンク杆４、4aの中間部に回動可能に取り付けると共に、他端をベース１に固設している。
つまり、シリンダー11のストローク量をＳとすると、吊下線状体13、13a のリンク杆４、4aへの取付端の昇降長さは２Ｓとなる。
【００１０】
上記当接体６、6aにあっては、機枠２における横枠2cに固設したブラケット14、14a の後方突端部の下部に設けられ、かかる当接体６、6aの位置を、シリンダー11が上死点に到達する前に、リンク杆４、4aの後端部、具体的にはリンク杆４、4aの後端部に回動可能に設けたローラー15、15a が当接する様に設定している。
【００１１】
図面上、押上体12、12a はホイール状で、シリンダー11の上部の取付板16の両端下部に設けたブラケット17、17a の外側に軸着されており、かかる押上体12、12a をプーリー、スプロケット等とし、吊下線状体13、13a を押上体12、12a に対応するロープ、ベルト、チェーン等とし、望ましくは押上体12、12a をシリンダー11に対し回動自在なスプロケットとすると共に、吊下線状体13、13a をチェーンとする。
そして、シリンダー11により押上体12、12a を上昇させることで押上体12、12a が回転して吊下線状体13、13a を巻き上げて、昇降台３が上昇する。
尚、押上体12、12a は、図面上ホイール状に形成されているが、かかる形態に限定せず、要するに押上体12、12a の上部を吊下線状体13、13a が円滑に動く形態、例えば円周面とすれば、かかる押上体12、12a はシリンダー11に対し固設しても良く、この場合、押上体12、12a に対し吊下線状体13、13a が摺接状態となる。
【００１２】
更に、吊下線状体13、13a の一端をリンク杆４、4aに直接取り付けずに、リンク杆４、4a間に架設した連結杆（図示せず）に取り付けても良く、要するに吊下線状体13、13a に対しリンク杆４、4aを取付部位を中心に回動可能であれば良い。
【００１３】
図面上、昇降駆動部５は、シリンダー11、押上体12、12a 及び吊下線状体13、13a により構成されているが、かかる形態に限定せず、例えば、昇降駆動部５の上部にリンク杆４、4aの中間部を回動可能に直接取り付けても良い。
要するに、昇降台３の後部にリンク杆４、4aの前端部を回動可能に取り付け、ベース１に立設した昇降台３の昇降駆動部５にリンク杆４、4aの中間部を、該リンク杆４、4aが昇降駆動部５に対し回動可能に取り付けられていれば良い。
但し、図示した昇降装置にあっては、変形可能な吊下線状体13、13a にリンク杆４、4aが取り付けられているため、リンク杆４、4aの先端部を中心に揺動してもリンク杆４、4aの吊下線状体13、13a との取付部位が微前後動可能であるが、リンク杆４、4aと昇降台３又は昇降駆動部５の取付部位にある程度の遊びを持たせることで、昇降台３及び昇降駆動部５を確実に作動させる様な構造にして対応させるケースも有り得る。例えば、昇降台３側又はリンク杆４、4aに設けた長孔に軸を挿通させることで対応させる様にしている。
【００１４】
よって、昇降台３を昇降駆動部５側に直接連結すれば、昇降台３は昇降駆動部５のストローク量だけしか昇降しないが、昇降台３に対し回動可能に取り付けたリンク杆４、4aを介して昇降駆動部５側を連結されることから、昇降駆動部５によりリンク杆４、4aを介して昇降台３を持ち上げることになるが、昇降台３は機枠２側に対しフリーであり、リンク杆４、4aは上昇途中で後端側の上方移動が規制されてしまうために、リンク杆４、4aが昇降台３に対し徐々に下方揺動して、昇降台３が持ち上げられることになるため、昇降台３の昇降量は、昇降駆動部５による昇降ストロークに、リンク杆４、4aの揺動による追加昇降ストローク、即ち昇降台３が、リンク杆４、4aの後端部が当接体６、6aに当接してから最上昇位置に到達するまでに、リンク杆４、4a先端の昇降台３への取付部位の昇降駆動部５への取付部位に対する上昇量分が加わることになる。
【００１５】
尚、図示された昇降装置にあっては、搬送手段Ｔの終端部に設置するものの例示であることから、昇降台３における載置部８を、一対の両側枠体18a 、18b の前端部間に連結枠体18c を設けた平面視略コ字状の台枠18の上部に、台枠18の上部に上記搬送手段Ｔと同様の搬送手段（図面上、ローラーコンベヤ19）を設置したものとしているが、かかる形態に何ら限定せず、図示しないが、載置部８を、被搬送体Ｗを単に載置するだけの機能しかない板状体又は枠状体としても良い。
【００１６】
尚、図面上、リンク杆４、4aは、その先端部を載置部８の台枠18における両側枠体18a 、18b の内側面に軸着すると共に、その中間部を昇降板７に形成された切欠部９、9a内を通過する構成であるが、かかる形態に限定せず、図示しないが、先端部を載置部８の外側面に軸着したリンク杆４、4aを昇降板７の外側を通す様にしても良く、この場合リンク杆４、4aの上方揺動規制手段を昇降板７の外側面に設ける様にしている。
つまり、リンク杆４、4aを、上方揺動を規制すると共に下方揺動を可能にする様に昇降台３に取り付ければ良い。
【００１７】
次に本発明に係る昇降装置の作用について説明する。
（１）最下降位置における昇降台３における載置部８上に被搬送物Ｗを載置した後に昇降駆動部５を作動させ、シリンダー11の伸長に伴い押上体12、12a が上昇して、該押上体12、12a に巻き掛けられた吊下線状体13、13a における昇降台３側への固定端側を引き上げて、シリンダー11のストロークの２倍分昇降台３が上昇する。
（２）昇降台３の上昇途中で、リンク杆４、4aの後端部（のローラー15、15a ）が当接体６、6aに当接すると、リンク杆４、4aの後端部（のローラー15、15a ）の上昇が止まることから、昇降台３に対しリンク杆４、4aが下方揺動し、それに伴い昇降台３がリンク杆４、4aの前端部側が昇降駆動部５側への取付部位を中心に上方揺動して、昇降駆動部５による上昇と共に昇降台３が持ち上げられる。
（３）昇降台３が最上昇位置に到達すると昇降台３が停止し、該昇降台３は、シリンダー11のストロークの２倍分に、リンク杆４、4aの昇降駆動部５側への取付部位に対するリンク杆４、4aの昇降台３への取付部位の上昇分を加えた量だけ上昇する。
【００１８】
図４、５に示す様、機枠２の前面の上下部所定位置にリミットスイッチ20、20a を設けると共に、昇降台３の側部に入力子21を設け、昇降台３の入力子21により下方リミットスイッチ20及び上方リミットスイッチ20a を「ＯＮ」にすることで、昇降台３を最下降位置及び最上昇位置で停止させる様にしている。
【００１９】
図３、５に示す様に、機枠２の前面上部の所定位置に上部ダンパー22を設けると共に、昇降台３の側部に当接板23を設けている。又、図３に示す様に、機枠２の中間部下方寄りの部位に、シリンダー11の上部の取付板16の両端部より側方突出した当接板24、24a が当接する下部ダンパー25、25a を設け、更に取付板16の下面に、最下降位置においてシリンダー11の上端面に当接する下方ストッパー34を設けている。
そして、最上昇位置付近で上部ダンパー22に当接板23が、最下降位置付近で下部ダンパー25、25a に当接板24、24a が夫々当接して緩衝する様にしている。
【００２０】
図１、４、７に示す様に、ベース１の前端部に、搬送手段Ｔの終端側に位置する搬入防止ストッパー26を設けると共に、ベース１における昇降台３の下方部位に被搬送物Ｗの搬入確認スイッチ27を設け、搬入防止ストッパー26は搬入確認スイッチ27が被搬送物Ｗにより「ＯＮ」になると上方突出して、搬送手段Ｔ上の次の被搬送物Ｗが昇降台３側に移動させず、下方リミットスイッチ20が「ＯＮ」になると下方没入して、次の被搬送物Ｗを昇降台３側に移動可能にする様にしている。
【００２１】
図１、２、４〜９に示す様に、昇降台３の前端の両側部に落下防止ストッパー28、28a を揺動可能に設け、該落下防止ストッパー28、28a は、初期姿勢を起立状態として被搬送物Ｗの搬入に伴い傾倒し、被搬送物Ｗの搬入後に起立状態に復帰する様にしている。
【００２２】
図７に示す様に、昇降台３の後部にして昇降板７の上部に被搬送物Ｗの前進防止ストッパー29を設け、該前進防止ストッパー29は、取付ブロック30の両側部に一対のガイドシャフト31、31a を貫設すると共に、該ガイドシャフト31、31a の上端部を当接板32の下面両側部に固設し、ガイドシャフト31、31a の間に当接板32の上方付勢手段33、33a を設けている。
そして、図８（ａ）に示す様に、昇降台３の上昇途中に当接板32の上面が載置台板10の前方突出部の下面に当接して当接板32が停止するが、取付ブロック30は昇降台３と共に上昇して上方付勢手段33、33a を圧縮し、最終的に図８（ｂ）に示す様に、最上昇位置における当接板32の上面が、昇降台３における被搬送物Ｗの載置面より下方になり、昇降台３が所定位置まで下降するまで圧縮状態の上方付勢手段33、33a により当接板32の載置台板10への当接状態が維持され、その後離間して初期状態に復帰し、当接板32の上面が昇降台３における被搬送物Ｗの載置面より上方に位置する様にしている。つまり、前進防止ストッパー29自体が昇降台３の上方ストッパーの役割を果たしている。
【００２３】
図９に示す様に、機枠２の上部に、昇降台３の落下防止装置35を設け、昇降台３の側部に、落下防止装置35の前後方向に進退自在な出没体36の当接体37を設け、昇降台３が最上昇位置に到達して上方リミットスイッチ20a が「ＯＮ」になると、落下防止装置35における出没体36が前進突出して、該出没体36の先端部を当接体37の下方に位置させ、昇降台３の下降と同時に、或いは上方リミットスイッチ20a が「ＯＦＦ」になった時点で、落下防止装置35における出没体36が後退没入する様にしている。
【図面の簡単な説明】
【００２４】
【図１】本発明に係る昇降装置の側面図である。
【図２】図１の平面図である。
【図３】図１の後面図である。
【図４】昇降台を最下降位置とした昇降装置の要部側面図である。
【図５】昇降台を最上昇位置とした昇降装置の要部側面図である。
【図６】（ａ）はリンク杆の後端部が当接体に当接した状態を示す昇降装置の要部断面図で、（ｂ）は昇降台を最上昇位置とした昇降装置の要部断面図である。
【図７】昇降台を最下降位置とした昇降装置の要部断面図である。
【図８】（ａ）はストッパーにおける当接板が載置台板に当接した状態を示す昇降装置の要部断面図で、（ｂ）は昇降台を最上昇位置とした昇降装置の要部断面図である。
【図９】落下防止装置を設置した昇降装置の要部側面図である。
【符号の説明】
【００２５】
１        ベース
２        機枠
３        昇降台
４、4a    リンク杆
５        昇降駆動部
６、6a    当接体
11        シリンダー
12、12a     押上体
13、13a     吊下線状体
【図１】
0004817846.tif 000002
【図２】
0004817846.tif 000003
【図３】
0004817846.tif 000004
【図４】
0004817846.tif 000005
【図５】
0004817846.tif 000006
【図６】
0004817846.tif 000007
【図７】
0004817846.tif 000008
【図８】
0004817846.tif 000009
【図９】
0004817846.tif 000010